(57)【特許請求の範囲】
【請求項１】
ディスクの外周を保持して当該ディスクをターンテーブルに移載するディスクローディング機構において、
前記ディスクの外周を保持するための揺動アームと、ガイドとを夫々備えた一対のシフトプレートと、
このシフトプレートで保持したディスクをターンテーブルの位置に到達させるため、当該シフトプレートを移動させる手段と、
前記ターンテーブルの位置に到達させたディスクをターンテーブルに移載するため、シフトプレート又はターンテーブルを移動させる手段と、
前記ディスクの前記ターンテーブルへの移載が完了したとき一対のシフトプレートによる当該ディスクの保持を解除する手段とを備えたことを特徴とするディスクローディング機構。
【請求項２】
前記ターンテーブルと同心に回転するプレートを備え、このプレートを回転させ、このプレートに設けた押圧部で押しのけて、一対のシフトプレートを離間自在に構成したことを特徴とする請求項１記載のディスクローディング機構。
【請求項３】
前記プレートを回転させるアームを備えたことを特徴とする請求項２記載のディスクローディング機構。
【請求項４】
一対のシフトプレートがシャーシに沿って移動自在なベース部と、このベース部に支持されたプレート部とを夫々備え、このプレート部が互いに接近する方向に付勢されていることを特徴とする請求項１乃至３のいずれか一項記載のディスクローディング機構。
【請求項５】
前記ベース部がラックギアを備え、このギアに噛み合う駆動ピニオンがシャーシに取り付けられていることを特徴とする請求項４記載のディスクローディング機構。
【請求項６】
前記ベース部に設けられたラックギアが、移動方向に複数配置された駆動ピニオンに沿って移動することを特徴とする請求項５記載のディスクローディング機構。
【発明の詳細な説明】
【０００１】
【発明の属する技術分野】
本発明は、ディスクの外周を保持して当該ディスクをターンテーブルに移載するディスクローディング機構に関する。
【０００２】
【従来の技術】
従来、ＣＤやＤＶＤ等の光ディスクプレーヤにおいて、ディスクを回転させるターンテーブルに当該ディスクを装着するまでの搬送機構としてのディスクローディング機構が知られている。
【０００３】
この種のものでは、搬送ローラを備え、この搬送ローラでディスクを搬送するタイプのものが一般的である。
【０００４】
【発明が解決しようとする課題】
しかし、搬送ローラを用いてディスクを搬送するタイプでは、ディスク記録面に搬送ローラが接触するため、ディスク面を傷つける恐れがある。
【０００５】
そこで、本発明の目的は、上述した従来の技術が有する課題を解消し、ディスク面に傷をつけることなく、ディスクを搬送することのできるディスクローディング機構を提供することにある。
【０００６】
【課題を解決するための手段】
請求項１記載の発明は、ディスクの外周を保持して当該ディスクをターンテーブルに移載するディスクローディング機構において、前記ディスクの外周を保持するための揺動アームと、ガイドとを夫々備えた一対のシフトプレートと、このシフトプレートで保持したディスクをターンテーブルの位置に到達させるため、シフトプレートを移動させる手段と、ターンテーブルの位置に到達させたディスクをターンテーブルに移載するため、シフトプレート又はターンテーブルを移動させる手段と、ディスクのターンテーブルへの移載が完了したとき一対のシフトプレートによる当該ディスクの保持を解除する手段とを備えたことを特徴とする。
【０００８】
請求項２記載の発明は、請求項１記載のものにおいて、前記ターンテーブルと同心に回転するプレートを備え、このプレートを回転させ、このプレートに設けた押圧部で押しのけて、一対のシフトプレートを離間自在に構成したことを特徴とする。
【０００９】
請求項３記載の発明は、請求項２記載のものにおいて、前記プレートを回転させるアームを備えたことを特徴とする。
【００１０】
請求項４記載の発明は、請求項１乃至３のいずれか一項記載のものにおいて、一対のシフトプレートがシャーシに沿って移動自在なベース部と、このベース部に支持されたプレート部とを夫々備え、このプレート部が互いに接近する方向に付勢されていることを特徴とする。
【００１１】
請求項５記載の発明は、請求項４記載のものにおいて、前記ベース部がラックギアを備え、このギアに噛み合う駆動ピニオンがシャーシに取り付けられていることを特徴とする。
【００１２】
請求項６記載の発明は、請求項５記載のものにおいて、前記ベース部に設けられたラックギアが、移動方向に複数配置された駆動ピニオンに沿って移動することを特徴とする。
【００１３】
【発明の実施の形態】
以下、本発明の一実施形態を、図面に基づき説明する。
【００１４】
図1において、１はシャーシを示す。このシャーシ１は、板を略コの字状に曲げて形成され、天面部１Ａと一対の側面部１Ｂとを備えて構成されている。このシャーシ１の両側には、当該シャーシ１に沿って移動自在な一対のシフトプレート１０Ｌ，１０Ｒが配置されている。
【００１５】
このシフトプレート１０Ｌ，１０Ｒは、シャーシ１の側面部１Ｂに沿って移動するベース部１０Ａと、このベース部１０Ａに支持されたプレート部１０Ｂとを備え、このプレート部１０Ｂ同士は、ばね１０Ｃで連結され、接近方向に付勢されている。すなわち、ベース部１０Ａには２つの長孔１０Ｄがあけられ、各長孔１０Ｄにはプレート部１０Ｂに固定されたピン１０Ｅが嵌合し、これに案内されて各プレート部１０Ｂが接近方向に付勢される。
【００１６】
各プレート部１０Ｂには、ディスクＤの外周を保持するための揺動アーム１２Ｌ，１２Ｒが夫々設けられている。
【００１７】
各揺動アーム１２は基端部にピン１２Ａを有し、このピン１２Ａを、プレート部１０Ｂにあけられた長孔１０Ｆ内で移動させながら、その先端部を揺動自在にし、この先端部には、ディスクＤの外周を保持するためのピン１２Ｂを一体に備えて構成されている。一対の揺動アーム１２は、ばね（図示せず）を介して、先端部を閉じる方向に付勢されている。
【００１８】
また、プレート部１０Ｂの入口側には、ディスクＤの外周を保持するための板ばね状のガイド１３が設けられている。
【００１９】
図２に示すように、ディスクＤが挿入された場合、このディスクＤは、まず板ばね状のガイド１３にあたり、それを押しのけ、さらにディスクＤが押し込まれると、揺動アーム１２Ｌ，１２Ｒのピン１２Ｂにあたり、この揺動アーム１２を押しのけ、ディスクＤの最大径の部分がガイド１３を越えて進入すると、該ガイド１３で保持されて脱出が阻止される。
【００２０】
この状態において、一方の揺動アーム１２Ｌの先端が、リミットスイッチ１４の接点を押し、この出力信号によってシフトプレート１０Ｌ，１０Ｒのベース部１０Ａの駆動用モータ（図示せず）が駆動される。
【００２１】
すなわち、ベース部１０Ａの折り曲げ下辺には、ラックギア１６が一体的に形成され、このラックギア１６に噛み合う複数の駆動ピニオン１７が、シャーシ１に取り付けられ、各駆動ピニオン１７が、ギア等を介して同期回転自在に、上記駆動用モータの出力軸に連結されている。
【００２２】
リミットスイッチ１４から信号が出力されると、各駆動ピニオン１７が回転して、ラックギア１６が、その移動方向に複数配置された駆動ピニオン１７に沿って移動し、これと一体的に、図３に示すように、シフトプレート１０Ｌ，１０Ｒが入口側から奧側に向けて移動する。
【００２３】
この場合、シフトプレート１０Ｌ，１０Ｒは、保持したディスクＤを、シャーシ１のほぼ中央に固定されたターンテーブル９の位置に到達させるため、入り口側から奥側に向けて移動される。このターンテーブル９は、ディスクＤを回転させるスピンドルを有する。
【００２４】
上記構成では、ラックギア１６が、複数配置された駆動ピニオン１７の間を渡り歩く構成であるため、ラックギア１６の長さを短くすることができ、装置の奥行き寸法を小型化することができる。
【００２５】
ターンテーブル９の位置に到達したディスクＤは、ターンテーブル９に移載されるが、この場合、シフトプレート１０Ｌ，１０Ｒを、ターンテーブル９に近付けて、ターンテーブル９にディスクＤを移載するか、或いは、ターンテーブル９を、シフトプレート１０Ｌ，１０Ｒに近付けて、ターンテーブル９にディスクＤを移載するかの手段が採用される。
【００２６】
ディスクＤの移載が完了したとき、一対のシフトプレート１０Ｌ，１０ＲによるディスクＤの保持が解除される。
【００２７】
すなわち、図４に示すように、ターンテーブル９と同心上を回転するプレート４１が設けられる。このプレート４１には解除アーム４２が連結され、この解除アーム４２が、モータ（図示せず）で矢印Ａ方向に駆動されると、プレート４１が反時計方向に回転し、このプレート４１に形成されたピン４３が、各プレート部１０Ｂを、ばね１０Ｃのばね力に抗して押しのけ、これによって、ディスクＤの保持が解除される。
【００２８】
上記構成では、ディスクＤのチャッキングが完了して、一対のシフトプレート１０Ｌ，１０Ｒによる該ディスクＤの保持が解除された後、このディスクＤの再生動作に移行する。
【００２９】
つぎに、ディスクのイジェクトについて説明する。
【００３０】
図４において、解除アーム４２が矢印Ａと反対の方向に駆動されると、プレート４１が時計方向に回転し、プレート４１のピン４３が、各プレート部１０Ｂから離れ、ばね１０Ｃのばね力により、一対のシフトプレート１０Ｌ，１０Ｒが接近し、ディスクＤが保持される。
【００３１】
つぎに、ターンテーブル９からディスクＤが離される。この手段は、上述したように、シフトプレート１０Ｌ，１０Ｒをターンテーブル９から遠ざけるか、或いは、ターンテーブル９をシフトプレート１０Ｌ，１０Ｒから遠ざけるか、のいずれかの手段による。
【００３２】
ついで、駆動ピニオン１７を駆動するモータを逆回転させる。すると、ベース部１０Ａに形成されたラックギア１６が、複数の駆動ピニオン１７の間を渡り歩いて、これと一体的に、図２に示すように、シフトプレート１０Ｌ，１０Ｒが奧側から入り口側に向けて移動し、ディスクＤが、シフトプレートに保持されたまま破線位置まで排出され、シャーシ１の外側に突出するディスク部分を掴んでディスクを排出する。
【００３３】
本実施形態では、シフトプレート１０Ｌ，１０Ｒが、ディスクの外周を保持して搬送するため、従来のように、ディスク記録面に搬送ローラが接触することがなく、ディスク面を傷つけることがない。
【００３４】
以上、本発明を上記実施の形態に基づいて説明したが、本発明はこれに限定されるものではない。
【００３５】
【発明の効果】
本発明では、シフトプレートが、ディスクの外周を保持して搬送するため、ディスク記録面に搬送ローラが接触することがなく、ディスク面を傷つけることがない、等の効果が得られる。
【図面の簡単な説明】
【図１】Ａ，Ｂ，Ｃは、ディスクローディング機構の一実施形態を示す図である。
【図２】Ａ，Ｂ，Ｃは、ディスクを挿入した状態を示す図である。
【図３】Ａ，Ｂ，Ｃは、ディスクの挿入からチャッキングまでの工程を説明する図である。
【図４】Ａ，Ｂ，Ｃは、ディスクのチャッキングから保持の解除までの工程を説明する図である。
【符号の説明】
１  シャーシ
９  ターンテーブル
１０Ｌ，１０Ｒ  シフトプレート
１０Ａ  ベース部
１０Ｂ  プレート部
１０Ｃ  ばね
１２Ｌ，１２Ｒ  揺動アーム
１３  ガイド
１６  ラックギア
１７  駆動ピニオン
４１  プレート
４２  解除アーム
【図１】
0003884985.tif 000002
【図２】
0003884985.tif 000003
【図３】
0003884985.tif 000004
【図４】
0003884985.tif 000005